(57)【要約】【課題】光源の過剰冷却、使用者によるモードの誤設定や故障の誤判定、および騒音問題を解決できる、冷却ファン制御装置を提供する。【解決手段】冷却ファン制御装置１０は、光源３０を冷却する冷却ファン２０の回転動作を制御する。冷却ファン制御装置１０は、外気圧を検出する気圧センサ１１と、光源３０の点灯時に、気圧センサ１１にて検出された気圧値に基づいて標高値を算出する標高値算出部１２と、今回の点灯時に標高値算出部１２が算出した第１の標高値と前回の点灯時に標高値算出部１２が算出した第２の標高値との差である標高差が閾値以上であるか否かにより、標高が異なる場所への移動の有無を判定する移動判定部１３と、移動の有無の判定結果に基づいて冷却ファン２０の回転数を制御するファン制御部１４と、を有する。【選択図】図１
2019045793.tif 000002
【特許請求の範囲】
【請求項１】
光源を冷却する冷却ファンの回転動作を制御する冷却ファン制御装置であって、
外気圧を検出する気圧センサと、
前記光源の点灯時に、前記気圧センサにて検出された気圧値に基づいて標高値を算出する標高値算出部と、
今回の点灯時に前記標高値算出部が算出した第１の標高値と前回の点灯時に前記標高値算出部が算出した第２の標高値との差である標高差が閾値以上であるか否かにより、標高が異なる場所への移動の有無を判定する移動判定部と、
前記移動の有無の判定結果に基づいて前記冷却ファンの回転数を制御するファン制御部と、を有する、冷却ファン制御装置。
【請求項２】
前記ファン制御部は、前記判定結果が移動無しである場合に、前回の点灯時に設定した回転数で前記冷却ファンを回転させる、請求項１に記載の冷却ファン制御装置。
【請求項３】
前記移動判定部は、前記光源の点灯毎に前記移動の有無を判定し、
前記ファン制御部は、移動無しと判定された後、移動有りと判定されるまでは、前記光源の点灯毎に前記標高値算出部が算出した標高値を記憶し、該記憶した標高値の平均値に基づいて前記冷却ファンの回転数を設定する、請求項１に記載の冷却ファン制御装置。
【請求項４】
前記ファン制御部は、前記判定結果が移動有りである場合に、前記第１の標高値に基づいて前記冷却ファンの回転数を設定する、請求項１乃至３のいずれか一項に記載の冷却ファン制御装置。
【請求項５】
標高値別に前記移動の有無を判定するための閾値を格納した移動判定用テーブルを、さらに有し、
前記移動判定部は、前記移動判定用テーブルを参照して前記第２の標高値に対応する閾値を取得し、前記標高差が該閾値以上であれば、移動有りと判定し、前記標高差が該閾値未満であれば、移動無しと判定する、請求項１乃至４のいずれか一項に記載の冷却ファン制御装置。
【請求項６】
前記移動判定用テーブルは、標高値が高いほど閾値が大きくなるように構成されている、請求項５に記載の冷却ファン制御装置。
【請求項７】
光源と、
前記光源を冷却する冷却ファンと、
前記冷却ファンの回転動作を制御する、請求項１乃至６のいずれか一項に記載の冷却ファン制御装置と、
入力映像信号に基づいて前記光源の出力光を変調して画像を形成する画像形成部と、
前記画像形成部にて形成された画像を投写する投写光学系と、を有する、プロジェクター。
【請求項８】
光源を冷却する冷却ファンの回転動作を制御する冷却ファン制御方法であって、
前記光源の点灯時に、外気圧を検出する気圧センサを用いて検出された気圧値に基づいて標高値を算出し、
今回の点灯時に算出した第１の標高値と前回の点灯時に算出した第２の標高値との差である標高差が閾値以上であるか否かにより、標高が異なる場所への移動の有無を判定し、
前記移動の有無の判定結果に基づいて前記冷却ファンの回転数を制御する、冷却ファン制御方法。
【請求項９】
光源を冷却する冷却ファンの回転動作を制御する冷却ファン制御装置のコンピュータに、
前記光源の点灯時に、外気圧を検出する気圧センサを用いて検出された気圧値に基づいて標高値を算出する処理と、
今回の点灯時に算出した第１の標高値と前回の点灯時に算出した第２の標高値との差である標高差が閾値以上であるか否かにより、標高が異なる場所への移動の有無を判定する処理と、
前記移動の有無の判定結果に基づいて前記冷却ファンの回転数を制御する処理と、を実行させるためのプログラム。
【発明の詳細な説明】
【技術分野】
【０００１】
本発明は、光源を冷却するための冷却ファンの回転動作を制御する冷却ファン制御装置、冷却ファン制御方法およびプログラム、ならびにその冷却ファン制御装置を備えたプロジェクターに関する。
【背景技術】
【０００２】
一般に、ハロゲンランプや水銀ランプなどの放電ランプは、適正温度を超えて使用を続けると、ランプ寿命が短縮し、場合によっては、放電管が破裂することがある。このため、光源に放電ランプを用いた電子機器、例えば、プロジェクターでは、通常、冷却ファンを用いて光源を冷却している。
ところで、プロジェクターは、様々な場所で使用され、例えば、標高が高い高地でも使用される。気圧が低い高地では、空気が薄いために、大気中への放熱効果が抑制され、その結果、高地における放電ランプの温度上昇は低地に比べて大きい。このため、プロジェクターを高地で使用する場合には、冷却ファンの回転数を上げて冷却効果を高める必要がある。
【０００３】
そこで、高地対応のプロジェクターが提供されている。この高地対応のプロジェクターでは、ファンモードとして、「自動」や「高地」を選択的に設定することができる。ここで、「自動」モードは、使用環境（外気温や気圧など）に応じて冷却ファンの回転数を自動で設定するモード（以下、「環境対応モード」と呼ぶ。）である。一方、「高地」モードは、冷却ファンを高速で回転させるモード（以下、「高速固定モード」と呼ぶ。）であり、例えば１８００（ｒｐｍ）以上の回転数に固定される。
「環境対応モード」では、例えば、プロジェクターの起動時に、現在地の大気圧と気温を検出し、その検出結果に基づいて標高値を算出する。標高値とファン回転数との対応関係を示すテーブルを参照し、現在の標高値に対応するファン回転数を取得する。そして、取得したファン回転数で冷却ファンを動作させる。
【０００４】
関連技術として、特許文献１には、標高と環境温度に基づいて、冷却ファンの回転数を制御する技術が記載されている。また、特許文献２には、圧力センサの出力に基づいて標高値を検出し、標高値に応じた回転数で排気ファンを駆動する技術が記載されている。
【先行技術文献】
【特許文献】
【０００５】
【特許文献１】特開２００８−２５００４３号公報
【特許文献２】特開２００９−１８８０４０号公報
【発明の概要】
【発明が解決しようとする課題】
【０００６】
しかし、上述した高地対応のプロジェクターには、以下のような問題がある。
同じ場所であっても、時間の経過とともに気温や気圧が変化する。また、天候によっても、気温や気圧が大きく変化する。このため、「環境対応モード」を設定した場合に、プロジェクターを同じ場所で使用しているにも関わらず、起動時に取得した標高値が、前回の起動時に取得した標高値と大きく異なることがある。この場合、前回の起動時とは大きく異なる回転数で冷却ファンが動作してしまうため、利用者が冷却ファンの故障と誤認識する場合がある。
【０００７】
「高速固定モード」を設定した場合は、気温や気圧の変化に関係なく、冷却ファンを一定の回転数で高速回転させるため、利用者による上記誤認識の問題は生じない。しかし、高地から低地に移動してプロジェクターを使用する際に、「高速固定モード」が設定された状態のまま、プロジェクターを起動してしまう場合がある。この場合、放電ランプが過剰に冷却され、投写映像がちらつくといった問題を生じる。加えて、冷却ファンを不必要に高速回転させるために、ファンの動作音が大きく、騒音問題を生じる。
【０００８】
本発明の目的は、上記問題を解決できる、冷却ファン制御装置、冷却ファン制御方法、プロジェクターおよびプログラムを提供することにある。
【課題を解決するための手段】
【０００９】
上記目的を達成するため、本発明の第１の冷却ファン制御装置は、光源を冷却する冷却ファンの回転動作を制御する冷却ファン制御装置であって、外気圧を検出する気圧センサと、前記光源の点灯時に、前記気圧センサにて検出された気圧値に基づいて標高値を算出する標高値算出部と、今回の点灯時に前記標高値算出部が算出した第１の標高値と前回の点灯時に前記標高値算出部が算出した第２の標高値との差である標高差が閾値以上であるか否かにより、標高が異なる場所への移動の有無を判定する移動判定部と、前記移動の有無の判定結果に基づいて前記冷却ファンの回転数を制御するファン制御部と、を有する。
【００１０】
本発明の第１のプロジェクターは、光源と、前記光源を冷却する冷却ファンと、前記冷却ファンの回転動作を制御する、上記の冷却ファン制御装置と、入力映像信号に基づいて前記光源の出力光を変調して画像を形成する画像形成部と、前記画像形成部にて形成された画像を投写する投写光学系と、を有する。
【００１１】
本発明の第１の冷却ファン制御方法は、光源を冷却する冷却ファンの回転動作を制御する冷却ファン制御方法であって、前記光源の点灯時に、外気圧を検出する気圧センサを用いて検出された気圧値に基づいて標高値を算出し、今回の点灯時に算出した第１の標高値と前回の点灯時に算出した第２の標高値との差である標高差が閾値以上であるか否かにより、標高が異なる場所への移動の有無を判定し、前記移動の有無の判定結果に基づいて前記冷却ファンの回転数を制御する。
【００１２】
本発明の第１のプログラムは、光源を冷却する冷却ファンの回転動作を制御する冷却ファン制御装置のコンピュータに、前記光源の点灯時に、外気圧を検出する気圧センサを用いて検出された気圧値に基づいて標高値を算出する処理と、今回の点灯時に算出した第１の標高値と前回の点灯時に算出した第２の標高値との差である標高差が閾値以上であるか否かにより、標高が異なる場所への移動の有無を判定する処理と、前記移動の有無の判定結果に基づいて前記冷却ファンの回転数を制御する処理と、を実行させる。
【発明の効果】
【００１３】
本発明によれば、光源が過剰に冷却されることを防止するとともに、使用者によるモードの誤設定や騒音の発生を抑制することができ、また、利用者が誤って故障したと判断することも抑制することができる。
【図面の簡単な説明】
【００１４】
【図１】本発明の第１の実施形態による冷却ファン制御装置の構成を示すブロック図である。
【図２】図１に示す冷却ファン制御装置にて行われる冷却ファン制御動作を示すフローチャートである。
【図３】本発明の第２の実施形態によるプロジェクターの構成を示すブロック図である。
【図４Ａ】移動判定用テーブルの一例を説明するための図である。
【図４Ｂ】標高値／ファン回転数対応テーブルの一例を説明するための図である。
【図５】図３に示すプロジェクターにて行われる冷却ファン制御動作を示すフローチャートである。
【図６】本発明の第３の実施形態によるプロジェクターにて行われる冷却ファン制御動作を示すフローチャートである。
【発明を実施するための形態】
【００１５】
次に、本発明の実施形態について図面を参照して説明する。
（第１の実施形態）
図１は、本発明の第１の実施形態による冷却ファン制御装置の構成を示すブロック図である。
【００１６】
図１を参照すると、冷却ファン制御装置１０は、光源３０を冷却する冷却ファン２０の回転動作を制御する。冷却ファン制御装置１０は、気圧センサ１１、標高値算出部１２、移動判定部１３およびファン制御部１４を有する。光源３０は、例えば、ハロゲンランプや水銀ランプなどの放電ランプである。
気圧センサ１１は、外気圧を検出するように構成されている。標高値算出部１２は、光源３０の点灯時に、気圧センサ１１にて検出された気圧値に基づいて標高値を算出する。例えば、光源３０を点灯させるための指示信号（例えば、電源ＯＮを示す起動信号）が冷却ファン制御装置１０に供給されても良い。この場合、標高値算出部１２は、その指示信号に基づいて光源３０の点灯開始を判断することができる。
【００１７】
移動判定部１３は、今回の点灯時に標高値算出部１２が算出した第１の標高値と前回の点灯時に標高値算出部１２が算出した第２の標高値との差である標高差が閾値以上か否かにより、標高が異なる場所への移動の有無を判定する。例えば、移動判定部１３は、標高差が閾値以上であれば、標高が異なる場所へ移動したと判定し（「移動有り」の判定）、標高差が閾値未満であれば、標高が異なる場所への移動は行われていないと判定する（「移動無し」の判定）。
ファン制御部１４は、移動の有無の判定結果に基づいて冷却ファン２０の回転数を制御する。
【００１８】
図２に、冷却ファン制御装置１０にて行われる冷却ファン制御動作を示す。
まず、標高値算出部１２が、光源３０の点灯開始を判断し（ステップＳ１０）、点灯時に、気圧センサ１１にて検出された気圧値に基づいて標高値を算出する（ステップＳ１１）。
【００１９】
次に、移動判定部１３が、今回の点灯時に標高値算出部１２が算出した第１の標高値と前回の点灯時に標高値算出部１２が算出した第２の標高値との差である標高差が閾値より大きいか否かを判断する（ステップＳ１２）。
標高差が閾値より大きい場合は、ファン制御部１４が、「移動有り」と判定し、「移動有り」に対応するモードで冷却ファン２０の回転数を制御する（ステップＳ１３）。標高差が閾値以下である場合は、ファン制御部１４が、「移動無し」と判定し、「移動無し」に対応するモードで冷却ファン２０の回転数を制御する（ステップＳ１４）。
【００２０】
本実施形態の冷却ファン制御装置によれば、標高が異なる場所への移動の有無を判定することができるので、移動した場合と、移動していない場合とで、冷却ファン２０の回転数の制御を切り替えることが可能である。
例えば、判定結果が「移動有り」であれば、ファン制御部１４は、標高値算出部１２が算出した標高値（第１の標高値）に応じて冷却ファン２０の回転数を設定することができる。この場合は、「環境対応モード」と同様の動作モードで冷却ファン２０を制御することができる。よって、光源３０の過剰却を防止するとともに、使用者によるモードの誤設定や騒音の発生を抑制することができる。
【００２１】
また、判定結果が「移動無し」であれば、ファン制御部１４は、前回の点灯時に設定した回転数から大きく外れないように冷却ファン２０の回転数を設定してもよい。例えば、ファン制御部１４は、前回の点灯時に設定した回転数で冷却ファン２０を回転させても良い。この場合は、「高速固定モード」と同様の固定モードで冷却ファン２０を制御することができる。よって、前回の点灯時と今回の点灯時とで冷却ファン２０の回転数が変動することを抑制することができるので、利用者が、誤って故障したと判断することはない。
【００２２】
本実施形態の冷却ファン制御装置１０において、以下のような変形を適用することができる。
ファン制御部１４は、判定結果が「移動無し」である場合に、前回の点灯時に設定した回転数で冷却ファン２０を回転させても良い。
【００２３】
また、移動判定部１３は、光源３０の点灯毎に移動の有無を判定しても良い。この場合、ファン制御部１４は、「移動無し」と判定された後、「移動有り」と判定されるまでは、光源３０の点灯毎に標高値算出部１２が算出した標高値を記憶し、該記憶した標高値の平均値に基づいて冷却ファン２０の回転数を設定しても良い。
さらに、ファン制御部１４は、判定結果が「移動有り」である場合に、第１の標高値に基づいて冷却ファン２０の回転数を設定しても良い。
【００２４】
さらに、冷却ファン制御装置１０は、標高値別に移動の有無を判定するための閾値を格納した移動判定用テーブルを、さらに有しても良い。この場合、移動判定部１３は、移動判定用テーブルを参照して、前回の点灯時の標高値（第２の標高値）に対応する閾値を取得し、標高差が該閾値未満であれば、「移動無し」と判定し、標高差が該閾値以上であれば、「移動有り」と判定しても良い。
上記の場合、移動判定用テーブルは、標高値が高いほど閾値が大きくなるように構成されても良い。
【００２５】
また、本実施形態の冷却ファン制御装置１０において、標高値算出部１２、移動判定部１３およびファン制御部１４のそれぞれの機能を有する１つの制御部が設けられても良い。また、その制御部は、ＣＰＵ（Central Processing Unit）等よりなるコンピュータで実現されても良い。この場合、コンピュータがプログラムを実行することで、標高値算出部１２、移動判定部１３およびファン制御部１４のそれぞれの機能を実現しても良い。
プログラムは、標高値算出部１２、移動判定部１３およびファン制御部１４のそれぞれの機能に対応する処理をコンピュータに実行させても良い。例えば、プログラムは、図２に示したステップＳ１０〜Ｓ１４の処理をコンピュータに実行させても良い。プログラムは、コンピュータ使用可能またはコンピュータ可読媒体で提供されてもよく、また、インターネット等のネットワークを介して提供されてもよい。
【００２６】
コンピュータ使用可能またはコンピュータ可読媒体は、磁気、光、電子、電磁気、赤外線などを用いて情報の記録または読み取りが可能な媒体を含む。そのような媒体として、例えば、半導体メモリ、半導体または固体の記憶装置、磁気テープ、取外し可能なコンピュータディスケット、ランダムアクセスメモリ（ＲＡＭ）、読出し専用メモリ（ＲＯＭ）、磁気ディスク、光ディスク、光磁気ディスクなどがある。
【００２７】
（第２の実施形態）
図３は、本発明の第２の実施形態によるプロジェクターの構成を示すブロック図である。
図３を参照すると、プロジェクター１は、気圧センサ１１、冷却ファン２０、光源３０、制御部４０、記憶部５０、操作部６０、画像形成部７０及び投写光学系８０を有する。
【００２８】
操作部６０は、プロジェクター１を操作するための複数の操作キーや電源ボタンなどを含む。操作部６０は、操作キーや電源ボタンを用いた入力操作内容を示す操作信号を制御部１に供給する。操作信号は、電源オン／オフ信号を含む。電源オン信号は、起動信号と呼ぶこともでき、第１の実施形態で説明した、光源３０の点灯開始を示す信号に相当する。
光源３０は、例えば、ハロゲンランプや水銀ランプなどの放電ランプである。画像形成部７０は、入力映像信号に基づいて光源３０の出力光を変調して画像を形成する。投写光学系８０は、画像形成部７０にて形成された画像を投写する。光源３０と画像形成部７０の間の光路や、画像形成部７０と投写光学系８０の光路には、ミラー、ダイクロイックミラー、レンズ、プリズムなどの光学部品が適宜に配置される。
【００２９】
画像形成部７０として、例えば、ＤＭＤ（デジタルミラーデバイス）や液晶表示パネルなどの表示素子を用いることができる。画像形成部７０は、１つの表示素子又は複数の表示素子を用いてカラー画像を形成しても良い。１つの表示素子を用いた構成は、所謂、単板式プロジェクターに相当する。３つの表示素子を用いた構成は、所謂、３板式プロジェクターに相当する。光源３０、画像形成部７０及び投写光学系８０からなる部分の構成は、既存のプロジェクターと同様であるので、ここでは、それらの詳細な説明は省略する。
記憶部５０は、半導体メモリやハードディスクドライブ（ＨＤＤ）などの記憶装置である。記憶部５０には、プロジェクター１を動作させるのに必要なプログラムやデータが格納される。例えば、冷却ファン２０の回転動作を制御するためのプログラムやデータが記憶部５０に格納される。ここでは、移動判定用テーブル５１、標高値／ファン回転数対応テーブル５２及びセーブデータテーブル５３が記憶部５０に格納される。
【００３０】
移動判定用テーブル５１は、標高値別に移動の有無を判定するための閾値を格納したものである。図４Ａに、移動判定用テーブル５１の一例を示す。図４Ａの例では、０ｍ〜１７００ｍの標高範囲について、１０ｍ毎に、標高値（ｍ）と閾値とが関連付けられて格納されている。移動判定用テーブル５１は、標高値が高いいほど閾値が大きくなるように構成されている。
一般的に、１７００ｍ以上の高地において、季節や天候によって気温が約１０℃変化し、それに伴って、気圧は約５ｈＰａ〜１０ｈＰａ程度変化する。また、台風等極めて悪天候となる場合を除き、晴天時と雨天時とで、気圧は最大で約１０ｈＰａ変化する。これらの環境的要因を、標高を算出する計算式に与えた場合、標高は０ｍ〜約１５０ｍ変化すると推定される。図４Ａの移動判定用テーブル５１では、この標高の変化範囲に基づいて、標高値が１７００ｍの場合の移動判定のための閾値を±１５０ｍに設定している。
【００３１】
上記と同様の手法で、各標高値に対する閾値を設定している。なお、移動判定用テーブル５１において、各標高値の間の閾値については、各標高値と各閾値との対応関係から求まる特性（曲線）に基づいて補間しても良い。
また、移動判定用テーブル５１において、例えば、標高値が１６９０ｍより高く、１７００（ｍ）以下の場合に、閾値を±１５０としても良い。同様に、標高値が１６８０ｍより高く、１６９０（ｍ）以下の場合に、閾値を±１４５としても良い。他の標高値についても、同様に、閾値を設定しても良い。
【００３２】
標高値／ファン回転数対応テーブル５２は、標高値とファン回転数との対応関係を示すものである。図４Ｂに、標高値／ファン回転数対応テーブル５２の一例を示す。図４Ｂの例では、０ｍ〜１７００ｍの標高範囲について、１０ｍ毎に、標高値（ｍ）とファン回転数（ｒｐｍ）とが関連付けられて格納されている。例えば、標高値が１７００（ｍ）である場合、ファン回転数は１８００（ｒｐｍ）である。標高値が１６９０（ｍ）である場合、ファン回転数は１７９０（ｒｐｍ）である。
【００３３】
なお、標高値／ファン回転数対応テーブル５２において、各標高値の間のファン回転数については、各標高値と各ファン回転数との対応関係から求まる特性（曲線）に基づいて補間しても良い。
また、標高値／ファン回転数対応テーブル５２において、例えば、標高値が１６９０ｍより高く、１７００（ｍ）以下の場合に、ファン回転数を１８００（ｒｐｍ）としても良い。同様に、標高値が１６８０ｍより高く、１６９０（ｍ）以下の場合に、ファン回転数を１７９０（ｒｐｍ）としても良い。他の標高値についても、同様に、ファン回転数を設定しても良い。
【００３４】
セーブデータテーブル５３は、冷却ファン２０の回転数を制御するための回転数や標高値をセーブデータとして格納する。
【００３５】
制御部１は、操作部６０からの操作信号に応じて、プロジェクター１の各部の動作を制御して、必要な処理を実行する。制御部１は、標高値算出部１２、移動判定部１３及びファン制御部１４を有する。これら標高値算出部１２、移動判定部１３及びファン制御部１４は、基本的に第１の実施形態で説明したものと同様のものであるが、プロジェクター１での動作に適用するように構成されている。
標高値算出部１２は、プロジェクター１の起動時に、気圧センサ１１にて検出された気圧値に基づいて標高値を算出する。ここで、プロジェクター１の起動時は、第１の実施形態で説明した光源３０の点灯時に相当する。標高値算出部１２が算出した標高値はセーブデータテーブル５３に格納される。
【００３６】
例えば、標高値算出部１２は、以下の式に基づいて標高値ｈを算出することができる。
【数１】
2019045793.tif 000003
ここで、Ｐは現在地の気圧であって、気圧センサ１１にて検出された気圧値に相当する。Ｐ0は、海面気圧であり、予め与えられる。Ｔは現在地の気温を示すが、ここでは、任意の温度（固定値）に設定している。Ｔを固定値とすることで、空調設備を備えた部屋でプロジェクター１を使用する場合など、現在地の温度とは異なる環境での使用形態にも適用することが可能となる。
【００３７】
移動判定部１３は、移動判定用テーブル５１を参照し、標高値算出部１２が算出した標高値に対応する閾値を取得することができる。移動判定部１３は、今回の起動時に標高値算出部１２が算出した第１の標高値と前回の起動時に標高値算出部１２が算出した第２の標高値との差である標高差を算出する。移動判定部１３は、第２の標高値に対応する閾値を移動判定用テーブル５１から取得し、標高差が閾値以上であるか否かにより、標高が異なる場所へのプロジェクター１の移動の有無を判定する。具体的には、移動判定部１３は、標高差が閾値以上である場合に、標高が異なる場所にプロジェクター１を移動させたと判定し、標高差が閾値未満である場合には、プロジェクター１は移動していないと判定する。このプロジェクター１の移動の有無の判定結果は、セーブデータテーブル５３に格納される。
【００３８】
ファン制御部１４は、標高値／ファン回転数対応テーブル５２を参照し、標高値算出部１２が算出した標高値に対応するファン回転数を取得することができる。ファン制御部１４は、標高値算出部１２及び移動判定部１３の動作を制御するとともに、移動判定部１３の移動判定結果に基づいて冷却ファン２０の回転数を制御する。
【００３９】
図５に、ファン制御部１４による冷却ファン２０の回転動作の制御手順を示す。
電源オンの操作が行われると（ステップＳ２０）、ファン制御部１４は、まず、セーブデータテーブル５３にデータが格納されているか否かを確認する（ステップＳ２１）。
ステップＳ２１でセーブデータが有ると判定された場合は、ファン制御部１４は、標高値算出部１２に標高値の算出を実行させる（ステップＳ２２）。標高値算出部１２は、ファン制御部１４からの指示に従い、気圧センサ１１にて検出された気圧値に基づいて標高値を算出する。
【００４０】
次に、ファン制御部１４は、移動判定部１３に移動判定を実行させる（ステップＳ２３）。移動判定部１３は、ファン制御部１４からの指示に従い、移動判定を行う。この移動判定において、まず、移動判定部１３は、前回の起動時に標高値算出部１２が算出した第２の標高値をセーブデータテーブル５３から取得する。次に、移動判定部１３は、今回の起動時に標高値算出部１２が算出した第１の標高値（ステップＳ２２で算出した標高値）とセーブデータテーブル５３から取得した第２の標高値との差である標高差を算出する。そして、移動判定部１３は、第２の標高値に対応する閾値を移動判定用テーブル５１から取得し、標高差が閾値以上であるか否かにより、標高が異なる場所へのプロジェクター１の移動の有無を判定する。
【００４１】
ステップＳ２３で、移動無しと判定された場合は、ファン制御部１４は、セーブデータテーブル５３から前回の起動時に設定した回転数を取得し、該回転数で冷却ファン２０を回転させる。そして、ファン制御部１４は、セーブデータテーブル５３に格納されている標高値のデータをステップＳ２２で算出した標高値に更新する（ステップＳ２４）。
ステップＳ２３で、移動有りと判定された場合は、ファン制御部１４は、セーブデータテーブル５３のセーブデータを消去する（ステップＳ２５）。
【００４２】
次に、ファン制御部１４は、標高値／ファン回転数対応テーブル５２を参照し、今回の起動時に標高値算出部１２が算出した第１の標高値（ステップＳ２２で算出した標高値）に対応するファン回転数を取得する。次に、ファン制御部１４は、取得した回転数で冷却ファン２０を回転させる。その後、ファン制御部１４は、ステップＳ２２で算出した標高値と取得した回転数とをセーブデータとしてセーブデータテーブル５３に格納する（ステップＳ２６）。
ステップＳ２１でセーブデータが無いと判定された場合は、ステップＳ２６の処理が実行される。
【００４３】
本実施形態のプロジェクター１によれば、標高が異なる場所への移動の有無を判定することができるので、移動した場合と、移動していない場合とで、冷却ファン２０の回転数の制御を切り替えることが可能である。
プロジェクター１を移動させた場合、標高値算出部１２が算出した標高値（第１の標高値）に応じた回転数で冷却ファン２０を回転させる。この場合は、「環境対応モード」と同様の動作モードで冷却ファン２０を制御することができる。よって、使用者によるモードの誤設定や騒音の発生を抑制することができる。
【００４４】
また、プロジェクター１が移動していない場合、前回の起動時に設定した回転数で冷却ファン２０を回転させる。この場合は、「高速固定モード」と同様の動作モードで冷却ファン２０を制御することができる。よって、前回の起動時と今回の起動時とで冷却ファン２０の回転数が変動することを抑制することができるので、利用者が、誤って故障したと判断することはない。
【００４５】
（第３の実施形態）
本発明の第３の実施形態によるプロジェクターは、第２の実施形態と同様の構成であるが、ファン制御部１４による冷却ファン２０の回転動作の制御手順が異なる。
図６に、冷却ファン２０の回転動作の制御手順を示す。ステップＳ３０〜Ｓ３３、Ｓ３５、Ｓ３６の処理は、図５に示したステップＳ２０〜Ｓ２３、Ｓ２５、Ｓ２６の処理と同じである。
【００４６】
ステップＳ３３で移動無しと判定された場合、ステップＳ３４で、ファン制御部１４は、セーブデータテーブル５３から、起動毎に格納された標高値を取得する。次に、ファン制御部１４は、セーブデータテーブル５３から取得した標高値と今回の起動時に標高値算出部１２が算出した標高値（ステップＳ３２で算出した標高値）との平均値を算出する。次に、ファン制御部１４は、標高値／ファン回転数対応テーブル５２を参照し、平均標高値に対応するファン回転数を取得する。次に、ファン制御部１４は、取得した回転数で冷却ファン２０を回転させる。その後、ファン制御部１４は、ステップＳ３２で算出した標高値をセーブデータとしてセーブデータテーブル５３に格納する。
【００４７】
本実施形態のプロジェクターによれば、プロジェクターの移動が検知されない限り、起動毎に算出した標高値の平均を算出し、その平均標高値に応じた回転数で冷却ファン２０を回転させる。これにより、前回の起動時に設定した回転数から大きく外れないように冷却ファン２０の回転数を設定することができるので、利用者が、誤って故障したと判断することはない。
また、プロジェクターを移動させた場合は、第２の実施形態と同様、「環境対応モード」と同様の動作モードで冷却ファン２０を制御することができる。よって、使用者によるモードの誤設定や騒音の発生を抑制することができる。
【００４８】
以上、実施形態を参照して本発明を説明したが、本発明は上述した実施形態に限定されるものではない。本発明の構成や動作については、発明の趣旨を逸脱しない範囲で、当業者が理解し得る様々な変更や改善を適用することができる。
【符号の説明】
【００４９】
１０  冷却ファン制御装置
１１  気圧センサ
１２  標高値算出部
１３  移動判定部
１４  ファン制御部
２０  冷却ファン
３０  光源
【図１】
2019045793.tif 000004
【図２】
2019045793.tif 000005
【図３】
2019045793.tif 000006
【図４Ａ】
2019045793.tif 000007
【図４Ｂ】
2019045793.tif 000008
【図５】
2019045793.tif 000009
【図６】
2019045793.tif 000010